(57)【要約】【課題】藺草を素材としたマットであって、すぐれたクッション性を備えると共に、製造の際、藺草を経糸方向に密に織り込むことが可能で、全体的な強度にもすぐれており、使用感がより良好なものを提供する。【解決手段】藺草マット(M1)は複数の藺草シート(S)により形成されており、各藺草シート(S)は藺草が経糸に二本ずつ交互に通されて織成されており、藺草シート(S)の幅方向の両端側に、それぞれ経糸の間隔が通常間隔である部分(3)が藺草シート(S)の幅方向へ所要幅で設けられており、両端側の経糸の間隔が通常間隔である部分(3)の間に、経糸の間隔をさらに広く設定した部分(5)が藺草シート(S)の幅方向へ所要幅で設けられており、各藺草シート(S)は、厚み方向に重ねられて相互に繋がれている。【選択図】図１
2009011463.tif 000002
【特許請求の範囲】
【請求項１】
複数の藺草シート(S)の組合せ、または藺草シート(S)と茣蓙(S1)の組合せにより形成されており、
前記藺草シート(S)は、
藺草(1)が経糸(2)に通されて織成されており、
藺草シート(S)の幅方向の両端側に、それぞれ経糸(2)の間隔が通常間隔である部分(3)が藺草シート(S)の幅方向へ所要幅で設けられており、
前記両端側の経糸(2)の間隔が通常間隔である部分(3)の間に、経糸(2)の間隔が通常間隔より広い部分(5)が藺草シート(S)の幅方向へ所要幅で設けられており、
前記藺草シート(S)は、他の藺草シート(S)または茣蓙(S1)と厚み方向に重ねられて相互に綴じまたは繋がれている、
藺草マット。
【請求項２】
複数の藺草シート(S)の組合せ、または藺草シート(S)と茣蓙(S1)の組合せにより形成されており、
前記藺草シート(S)は、
藺草(1)が経糸(2)に通されて織成されており、
藺草シート(S)の幅方向の両端側に、それぞれ経糸(2)の間隔が１０ｍｍ〜２０ｍｍである部分(3)が藺草シート(S)の幅方向へ所要幅で設けられており、
前記両端側の経糸(2)の間隔が１０ｍｍ以上、２０ｍｍ以下である部分の間に、経糸(2)の間隔が５０ｍｍ以上、２５０ｍｍ以下である部分が藺草シート(S)の幅方向へ所要幅で設けられており、
前記藺草シート(S)は、他の藺草シート(S)または茣蓙(S1)と厚み方向に重ねられて、少なくとも幅方向の両端側が綴じられて相互に繋がれている、
藺草マット。
【請求項３】
通気性を有する袋状のカバー(70)に請求項１または２の藺草マットが収容されている、
敷物。
【発明の詳細な説明】
【技術分野】
【０００１】
本発明は藺草マット及びそれを使用した敷物に関するものである。更に詳しくは、一般的な茣蓙や、その他の藺草だけを使用した敷物よりクッション性にすぐれ、しかも全体的に十分な強度もあって型くずれしにくく、使用感がより良好な藺草マット及びそれを使用した敷物に関する。
【背景技術】
【０００２】
藺草は、特に調湿性（吸放湿性）にすぐれた素材として、茣蓙や畳などの敷物に利用されている。このような敷物も益々多様化し、市場には安価な化学繊維を素材とした敷物も多く流通しているが、近年高まっている健康指向または環境保全に対する意識の高まりによって藺草のような天然素材を利用した敷物のニーズも高い。
【０００３】
しかし、茣蓙は藺草を経糸を通して堅く織成するという構造上、クッション性に課題があり、その課題を解消するものとして、茣蓙の下面に発泡ウレタンなどのクッションシートを張り付けた敷物が使用されてきた。しかしこれも、廃棄処分をする際には、藺草の部分とクッションシートの部分を剥がして分別する必要があり、大変な手間がかかってしまうという別の課題が生じていた。
【０００４】
このようなことから、シート部の素材として藺草だけを使用し、さらにクッション性を高めたものが提案されており、その一例として、例えば特許文献１に開示された「い草シート」がある。この「い草シート」は、間隔が通常の５倍から６倍の巾と通常の巾のものとを交互に連続させた経糸の間に、天然素材である藺草を２本から３本を一組として連続挿入して帯状に積層構造としたものであり、クッション材や敷設マット等に使用することができるというものである。
【０００５】
【特許文献１】特開２００３−２０５３９
【発明の開示】
【発明が解決しようとする課題】
【０００６】
しかしながら、経糸を通常の間隔の５倍から６倍の巾と通常の巾のものとを交互に連続させて藺草を前記のように挿入したものは、経糸の間隔が通常より大きい部分があるために藺草を密に織り込むことができなかった。このため、「い草シート」の全体的な強度の確保が難しく、形状を長期にわたり維持することが困難であった。
【０００７】
さらに、「い草シート」は、藺草を２本から３本を一組として経糸の間に連続挿入して帯状に積層構造としたものであるが、実際の機械織りによる製造では、積層状態で織成することは極めて難しい。また、積層状態で織成できたとしても、藺草と経糸を織成した部分が解けたりばらけたりして緩みやすいため、実質的に積層構造は維持されにくく、よってクッション性自体も良いとはいえなかった。
【０００８】
そこで本発明の目的は、藺草を素材としたマットであって、一般的な茣蓙や、その他の藺草だけを使用した敷物よりすぐれたクッション性を備えると共に、全体的に十分な強度もあって型くずれしにくく、使用感がより良好な藺草マット及びそれを使用した敷物を提供することである。
【課題を解決するための手段】
【０００９】
上記課題を解決するために本発明が講じた手段は次のとおりである。
本発明は、
複数の藺草シートの組合せ、または藺草シートと茣蓙の組合せにより形成されており、
前記藺草シートは、
藺草が経糸に通されて織成されており、
藺草シートの幅方向の両端側に、それぞれ経糸の間隔が通常間隔である部分が藺草シートの幅方向へ所要幅で設けられており、
前記両端側の経糸の間隔が通常間隔である部分の間に、経糸の間隔が通常間隔より広い部分が藺草シートの幅方向へ所要幅で設けられており、
前記藺草シートは、他の藺草シートまたは茣蓙と厚み方向に重ねられて相互に綴じまたは繋がれている、藺草マットである。
【００１０】
本発明は、
複数の藺草シートの組合せ、または藺草シートと茣蓙の組合せにより形成されており、
前記藺草シートは、
藺草が経糸に通されて織成されており、
藺草シートの幅方向の両端側に、それぞれ経糸の間隔が１０ｍｍ〜２０ｍｍである部分が藺草シートの幅方向へ所要幅で設けられており、
前記両端側の経糸の間隔が１０ｍｍ以上、２０ｍｍ以下である部分の間に、経糸の間隔が５０ｍｍ以上、２５０ｍｍ以下である部分が藺草シートの幅方向へ所要幅で設けられており、
前記藺草シートは、他の藺草シートまたは茣蓙と厚み方向に重ねられて、少なくとも幅方向の両端側が綴じられて相互に繋がれている、藺草マットである。
【００１１】
本発明は、
通気性を有する袋状のカバーに前記藺草マットが収容されている、敷物である。
【００１２】
藺草マットは、単独で使用することもできるし、例えば通気性を有する布で袋状に形成されたカバーに収容して使用することもできる。
複数の藺草シートの組合せ、または藺草シートと茣蓙の組合せとしては、二枚または三枚以上の藺草シートを組み合わせたもの、一枚または二枚以上の藺草シートと一枚または二枚以上の茣蓙を組み合わせたものがある。また、藺草シートと茣蓙を厚み方向に重ねる順序については特に限定しない。
【００１３】
特許請求の範囲及び明細書にいう「畳表や茣蓙の経糸の間隔で通常間隔」とは、１４ｍｍである。また、「経糸の間隔が通常間隔より広い」とは、少なくとも１４ｍｍより広いことをいうが、小目（経糸の間隔が２２ｍｍ）や大目（経糸の間隔が３６ｍｍ）より広いのがより好ましい。
【００１４】
経糸の間隔は５０ｍｍ以上、２５０ｍｍ以下であるのが好ましく、さらに経糸の間隔が７０ｍｍ以上、１５０ｍｍ以下であるのがより好ましい。なお、経糸の間隔が５０ｍｍ未満である場合は、藺草が強く締まりやすく、十分なクッション性が得にくい傾向があり、また、経糸の間隔が２５０ｍｍを超える場合は、藺草が緩んでばらけやすくなり、使用時に引っ掛かって破損しやすくなる傾向がある。
【００１５】
（作用）
本発明に係る藺草マットの作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１６】
本発明の藺草マット(M1)は、特に、藺草シート(S)の経糸(2)の間隔が広くなっている部分(5)では、藺草(1)同士が密着しにくく隙間も開いているので通気がしやすく、藺草本来のすぐれた調湿性を十分に発揮することができる。
【００１７】
また、経糸(2)の間隔が広くなっている部分(5)では、藺草(1)が強く締められておらず、藺草(1)同士がそれ程密着もしていない。このため、藺草(1)が動きやすく、しかも藺草(1)一本一本が潰れていないので、ウレタンシートを張った茣蓙などとは異なり、やや反発の強い藺草独特のクッション性にすぐれている。さらには、このような藺草シート(S)と、他の藺草シート(S)または茣蓙(S1)が複数枚厚み方向へ重ねられているので、藺草マット(M1)全体としてもすぐれたクッション性を備えている。
【００１８】
また、藺草マット(M1)を構成している藺草シート(S)には、経糸(2)の間隔が広い部分(5)の両側に経糸(2)の間隔が通常間隔である部分(3)が設けられており、この部分は経糸(2)の間隔が狭く藺草(1)が密に織り込まれるため、強度にすぐれている。
このように、藺草シート(S)は、幅方向の縁部に沿って十分な強度が付与される構造であるため、藺草マット(M1)は全体として十分な強度が得られ、型くずれなども起こりにくい。
【００１９】
通気性を有する袋状のカバー(70)に藺草マット(M1)が収容されている敷物は、例えば敷き布団として使用するときに、やや反発の強い藺草独特のクッション性と全体の強度にもすぐれた藺草マットの作用により、快適に使用することができる。
【発明の効果】
【００２０】
（ａ）本発明の藺草マットは、経糸の間隔が広くなっている部分では、藺草が強く締められておらず、藺草同士がそれ程密着もしていない。このため、藺草が動きやすく、しかも藺草一本一本が潰れていないので、ウレタンシートを張った茣蓙などとは異なり、やや反発の強い藺草独特のクッション性にすぐれている。さらには、このような藺草シートと、他の藺草シートまたは茣蓙が複数枚厚み方向へ重ねられているので、藺草マット全体としてもすぐれたクッション性を備えている。
【００２１】
（ｂ）本発明の藺草マットは、藺草マットを構成している藺草シートには、経糸の間隔が広い部分の両側に経糸の間隔が通常間隔である部分が設けられており、この部分は経糸の間隔が狭く藺草が密に織り込まれるため、強度にすぐれている。このように、藺草シートは、幅方向の縁部に沿って十分な強度が付与される構造であるため、藺草マットは全体として十分な強度が得られ、型くずれなども起こりにくい。これによって、藺草本来の調湿性あるいは触感などとも相まって、使用感がより良好である。
【発明を実施するための最良の形態】
【００２２】
本発明を図に示した実施の形態に基づき詳細に説明する。
〔実施の形態〕
【００２３】
図１は本発明に係る藺草マットの平面図、
図２は藺草マットを幅方向に断面した説明図である。
【００２４】
藺草マットＭ１は、二枚の藺草シートＳを厚み方向に重ねて、その四辺部を縁布６により綴じて各藺草シートＳを相互に繋いで形成されている（図２参照）。
各藺草シートＳは、茣蓙の織り方として一般的な糸引織りと同様に、藺草１を経糸２に二本ずつ交互に通す織り方で織成されており、経糸の間隔が等間隔である糸引織りとは経糸２の間隔が異なっている。
なお、藺草シートＳの長手方向は、経糸２の方向と同じ方向であり、藺草シートＳの幅方向は、藺草１の方向と同じ方向である（図２参照）。
【００２５】
各藺草シートＳの幅方向の両端側には、それぞれ経糸２の間隔が通常間隔（１４ｍｍ）である部分３が藺草シートＳの幅方向へ所要幅で設けられている。この部分３の幅は、本実施の形態では、経糸２の間隔で二つ分であるが、これに限定はされない。
また、藺草シートＳの幅方向両側にある、前記経糸２の間隔が通常間隔である各部分３の内側には、経糸２の間隔がやや広くなった（２０ｍｍ）部分４が所要幅で設けられている。この部分４の幅は、本実施の形態では、経糸２の間隔で二つ分であるが、これに限定はされない。
【００２６】
さらに、前記経糸２の間隔がやや広くなった各部分４の内側には、経糸２の間隔が通常間隔より広く設定された部分５が設けられている。この部分５の幅は、本実施の形態では７０ｍｍに設定されており、経糸２の間隔で八つ分である（図１参照）。経糸２の間隔が通常間隔よりさらに広く設定された部分５の幅は、これに限定はされない。また、この部分５における経糸２の幅は、経糸２の間隔が例えば通常間隔の約３倍〜１８倍程度（長さでは、５０ｍｍ〜２５０ｍｍ）の範囲に含まれるのが好ましいが、限定はされない。また、前記部分５における経糸２の幅は、本実施の形態では等間隔に形成されているが、多少の広狭があってもよい。
【００２７】
なお、藺草シートＳの他の形態として、前記経糸２の間隔が段階的にやや広くなった各部分４を設けずに、経糸２の間隔が通常間隔より広く設定された部分５を経糸２の間隔が通常間隔である各部分３の間に設けた構造とすることもできる。
前記各藺草シートＳは、厚み方向に重ねられ、外周部である四辺部に縁布６を縫製部６０で縫い付けることによって綴じられて相互に繋がれている。
【００２８】
図３は藺草マットをカバーに収容した敷物の説明図である。
敷物７は、通気性を有する布で、外径が長方形状かつ袋状に形成されたカバー７０を備えている。カバー７０は、隣り合う二辺部をファスナ７１によって開閉することができる。敷物７は、カバー７０の内部に前記藺草マットＭ１が収容されている構造である。
【００２９】
（作用）
図１ないし図３を参照して、藺草マットＭ１及び敷物７の作用を説明する。
【００３０】
藺草マットＭ１は、特に、藺草シートＳの経糸２の間隔が広くなっている部分５では、藺草１同士が密着しにくく隙間も開くので通気がしやすい。これにより、藺草１が備えている本来のすぐれた調湿性を十分に発揮することができる。
【００３１】
経糸２の間隔が広くなっている部分５では、藺草１が強く締められておらず、藺草１同士がそれ程密着もしていないため藺草１が動きやすい。また、藺草１の一本一本が潰されていないので、やや反発の強い藺草独特のクッション性にすぐれる。
さらには、このような藺草シートＳが二枚厚み方向へ重ねられているので、マット全体としてもすぐれたクッション性を備えている。
【００３２】
また、藺草マットＭ１を構成している各藺草シートＳには、経糸２の間隔が広い部分５の両側に経糸２の間隔が通常間隔である部分３が設けられており、この部分は経糸２の間隔が狭く藺草１が密に織り込まれるため、強度にすぐれている。
このように、藺草シートＳは、幅方向の縁部に沿って十分な強度が付与される構造であるため、藺草マットＭ１は全体として十分な強度が得られ、型くずれなども起こりにくい。
【００３３】
図３に示している、通気性を有する袋状のカバー７０に藺草マットＭ１が収容されている敷物７は、例えば敷き布団として使用するときに、やや反発の強い藺草独特のクッション性とマット全体の強度にもすぐれた藺草マットＭ１の作用により、快適に使用することができる。
【００３４】
そして、クッション性や圧縮変形後の形状回復性等、藺草マットＭ１の敷物としての性能を測定するために比較試験を行った。この試験結果を表１に示す。
【００３５】
【表１】
2009011463.tif 000003
【００３６】
（試験条件）
測定機は、カトーテック株式会社製（ハンディー圧縮試験機：KES-G5）を使用した。
試料は、本実施の形態の藺草マットＭ１の他に、比較対象として普通織りの茣蓙と掛川織りの茣蓙を採用した。試験時の測定ポイントは、各試料の幅方向における中央部かつ長手方向において両端寄りと中央部の三箇所(一端側から順にpoint1,2,3)とした。試験時の圧縮変形速度は、150sec/mmとした。
なお、普通織りとは、全体を通常の織り目（経糸の間隔が例えば１４ｍｍ程度）だけで織り上げたものである。また、掛川織りとは、小さな織り目（通常の織り目）と大きな織り目（経糸の間隔が例えば５０ｍｍ程度）を交互に繰り返して織り上げたものである。
【００３７】
（考察）
表１から分かるとおり、ＬＣ（圧縮剛さ）については、藺草マットＭ１が他の試料に比べて最も低い値を示し、試料中で最も柔らかかった。
また、ＷＣ（圧縮仕事量）については、藺草マットＭ１が他の試料に比べて最も大きい値を示し、力の吸収率が最も大きかった。このように、藺草マットＭ１は試料中で最もクッション性にすぐれていた。
さらに、ＲＣ（圧縮回復性）については、他の試料が完全には回復しきれなかったのに対して、藺草マットＭ１はもとどおりに回復した。
これらの結果から、本実施の形態の藺草マットＭ１は、他の試料すなわち普通織りの茣蓙及び掛川織りの茣蓙と比較して、敷物としてよりすぐれた性能（機能性）を備えていることがわかった。
【００３８】
図４は本発明に係る藺草マットの他の実施形態を示す幅方向に断面した説明図である。
藺草マットＭ２は、藺草シートＳを二枚重ねて幅方向の両端側を綴じてつないだ前記藺草マットＭ１とは異なり、一枚の藺草シートＳと、その上面側に一枚の普通の織り目の茣蓙Ｓ１を重ねて幅方向の両端側を綴じてつないだ構造である。
【００３９】
藺草マットＭ２は、藺草シートＳの上面側に普通の織り目の茣蓙Ｓ１を重ねることによって、使用感がより自然で使いやすい。しかも、前記のようにクッション性にすぐれた藺草シートＳが茣蓙Ｓ１に代わった分、クッション性には若干劣るが、実用上十分なクッション性を備えている。また、茣蓙Ｓ１は経糸２の間隔が狭いため、藺草１が全体的に密に織成されて強度にすぐれ、藺草マットＭ２は全体として、藺草マットＭ１と比較してより型くずれしにくい。
【００４０】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４１】
【図１】本発明に係る藺草マットの平面図。
【図２】藺草マットを幅方向に断面した説明図。
【図３】藺草マットをカバーに収容した敷物の説明図。
【図４】本発明に係る藺草マットの他の実施形態を示す幅方向に断面した説明図。
【符号の説明】
【００４２】
Ｍ１  藺草マット
Ｓ  藺草シート
１  藺草
２  経糸
３  経糸の間隔が通常間隔である部分
４  経糸の間隔がやや広くなった部分
５  経糸の間隔が広く設定された部分
６  縁布
６０  縫製部
７  敷物
７０  カバー
７１  ファスナ
Ｍ２  藺草マット
Ｓ１  茣蓙
【図１】
2009011463.tif 000004
【図２】
2009011463.tif 000005
【図３】
2009011463.tif 000006
【図４】
2009011463.tif 000007